(57)【要約】【課題】防水シートの接着強度が高く、この接着強度を長期間にわたって持続させることができ、電磁誘導加熱を用いることができる防水シート用固定金具を得る。【解決手段】防水シート用固定金具１を提供する。防水シート用固定金具１は、導体からなる固定金具本体２と、固定金具本体２上の、防水シートと接着可能な接着フィルム層３とからなる。接着フィルム層３は固定金具側フィルム層３Ａとシート側フィルム層３Ｂとからなる。防水シート用固定金具１は防水すべき下地４に固定される。固定金具側フィルム層３Ａとシート側フィルム層３Ｂは、加熱することにより溶融化し、防水シート用固定金具１及び防水下地４を覆う防水シート５と熱溶着する。この熱溶着に際し、固定金具側フィルム層３Ａは、固定金具本体２と強固に接着し、シート側フィルム層３Ｂは固定金具側フィルム層３Ａ及び防水シート５と強固に接着する。【選択図】図３
2005042394.tif 000002
【特許請求の範囲】
【請求項１】
防水すべき下地に固定される、防水シート用固定金具であって、
導体からなる固定金具本体と、前記固定金具本体上の、防水シートと接着可能な接着フィルム層とからなり、前記接着フィルム層が、前記固定金具本体と接着する固定金具側フィルム層と、前記固定金具側フィルム層及び前記防水シートと接着するシート側フィルム層とからなることを特徴とする防水シート用固定金具。
【請求項２】
前記固定金具側フィルム層及び前記シート側フィルム層が互いに材質の異なる熱可塑性樹脂からなることを特徴とする請求項１記載の防水シート用固定金具。
【請求項３】
前記固定金具本体の外縁部が、所定の勾配をもって外周側に向かって低くなっている勾配部と、防水すべき下地と接する最外周部とを有していることを特徴とする請求項１又は２記載の防水シート用固定金具。
【請求項４】
前記接着フィルム層が前記固定金具本体の上面全面に連続して設けられていることを特徴とする請求項１〜３の何れか一項記載の防水シート用固定金具。
【請求項５】
防水シートを防水すべき下地に施工するにあたり、
防水すべき下地に固定される、防水シート用固定金具を準備することであって、前記防水シート用固定金具が、導体からなる固定金具本体と、前記固定金具本体上の、防水シートと接着可能な接着フィルム層とからなり、前記接着フィルム層が、前記固定金具本体と接着する固定金具側フィルム層と、前記固定金具側フィルム層及び前記防水シートと接着するシート側フィルム層とからなること、
防水すべき下地に、前記防水シート用固定金具を固定すること、
前記防水シート用固定金具上に、防水シートを配置すること、
前記固定金具本体を加熱すること、
前記固定金具側フィルム層及び前記シート側フィルム層を溶融すること、
前記固定金具本体と前記固定金具側フィルム層と前記シート側フィルム層と前記防水シートとを接着すること
を含むことを特徴とする防水シートの施工方法。
【請求項６】
前記防水シート用固定金具に、一方の防水シートを接着し、その後他方の防水シートを接着することを特徴とする請求項５記載の防水シートの施工方法。
【発明の詳細な説明】
【技術分野】
【０００１】
本発明は防水すべき下地に固定される防水シート用固定金具及びこれを用いる防水シートの施工方法に関する。
【背景技術】
【０００２】
建築物等の構造物では、その屋上等の構造躯体面において防水シートを用いた防水工事が行われる。防水シートを構造躯体に固定するには、熱溶融材層を有する導体片と電磁誘導加熱とを用いる方法がある（例えば、特許文献１参照）。
【特許文献１】特開平１０−７７７２２号公報
【発明の開示】
【発明が解決しようとする課題】
【０００３】
本発明者は、構造躯体等の防水すべき下地に、導体の金具を固定し、この金具に防水シートを誘導加熱によって溶融接着する場合、金具上面に接着されている熱溶融接着層と防水シートとの間の接着強度の関係は、防水シートと同一の熱可塑性樹脂を用いて接着させた場合に強く、それ以外では比較的弱いことを見出した。
【０００４】
また、本発明者は、防水シートが施工されている環境を考慮した場合、従来の防水工事が耐久性の面で十分な接合性能を示さないことを見出した。
【０００５】
本発明の課題は、防水シートの接着強度が高く、接着強度を長期間にわたって持続させることができる防水シート用固定金具を得ることである。
【課題を解決するための手段】
【０００６】
本発明は、防水すべき下地に固定される、防水シート用固定金具であって、導体からなる固定金具本体と、前記固定金具本体上の、防水シートと接着可能な接着フィルム層とからなり、前記接着フィルム層が、前記固定金具本体と接着する固定金具側フィルム層と、前記固定金具側フィルム層及び前記防水シートと接着するシート側フィルム層とからなることを特徴とする防水シート用固定金具に係るものである。
【０００７】
また、本発明は、防水シートを防水すべき下地に施工するにあたり、（ａ）防水すべき下地に固定される、防水シート用固定金具を準備することであって、前記防水シート用固定金具が、導体からなる固定金具本体と、前記固定金具本体上の、防水シートと接着可能な接着フィルム層とからなり、前記接着フィルム層が、前記固定金具本体と接着する固定金具側フィルム層と、前記固定金具側フィルム層及び前記防水シートと接着するシート側フィルム層とからなること、（ｂ）防水すべき下地に、前記防水シート用固定金具を固定すること、（ｃ）前記防水シート用固定金具上に、防水シートを配置すること、（ｄ）前記固定金具本体を加熱すること、（ｅ）前記固定金具側フィルム層及び前記シート側フィルム層を溶融すること、（ｆ）前記固定金具本体と前記固定金具側フィルム層と前記シート側フィルム層と前記防水シートとを接着すること、を含むことを特徴とする防水シートの施工方法に係るものである。
【０００８】
本発明者は、上記課題を解決するため、防水シートの種々の接着方法を試み、特に、防水シートと固定金具との間の接着強度の関係について検討した。
【０００９】
その結果、本発明者は、導体からなる固定金具本体の上面に熱溶融接着層を設ける際、この熱溶融接着層を、固定金具本体と強固に接着する熱可塑性樹脂フィルム層等の固定金具側フィルム層と、防水シート及び前記固定金具側フィルム層と十分な接着強度を有する熱可塑性樹脂フィルム層等のシート側フィルム層とを有するように２層以上の層構造とすることによって、防水シートの優れた接着性が得られることを見出し、本発明に到達した。
【発明の効果】
【００１０】
本発明によれば、導体からなる固定金具本体が、固定金具側フィルム層及びシート側フィルム層からなる２層以上の層構造の接着フィルム層を有しており、電磁誘導加熱装置等を用いて防水シートを溶融接着させることにより、固定金具本体と接着フィルム層と防水シートとが優れた接着強度で接着され、優れた防水性能を発揮する防水構造を得ることができる。また、本発明によれば、電磁誘導加熱装置を用いることによって、溶剤を使用した溶剤溶着や熱風機を使用した熱融着に比べて、接着作業効率を高めることが可能となる。
【発明を実施するための最良の形態】
【００１１】
本発明の実施をする形態について説明する。
（１）防水すべき下地
構造体の中で、防水を必要とする部分である。例えば、建築物等の構造物では、屋上等の風雨に曝される構造躯体の表面である。以下、単に「防水下地」と称することがある。水平部や垂直部も含まれる。防水シート用固定金具が固定され、その固定金具上に防水シートが接着され、防水シートで覆われる。
【００１２】
（２）防水シート
防水下地の表面に施工されるものである。防水下地は、防水機能を有しておらず、防水下地自体の劣化は防ぐことができない。さらに、構造物屋内への漏水を防止することができない。防水シートは、防水下地が水、土砂等に直接接触しないようにしたり、下地が風雨や紫外線等に直接曝されないようにしたりして、下地が劣化するのを防止する。種々の材質からなることができる。防水シートの材質として用いられるものは、ゴム、アスファルト、熱可塑性樹脂が代表的である。
【００１３】
防水シートとして重要視されることは、耐久性と施工現場での作業性、施工性の良さである。これらのことから、前述の材質の中から、好ましくは熱可塑性樹脂が使用される。熱可塑性樹脂製防水シートでは、防水下地に全面接着させることなく部分的に機械固定する絶縁工法を行うことにより、防水下地の撤去、調整等を省くことが可能となり、防水工事工期の短縮を図ることができる。
【００１４】
防水シートは、熱可塑性樹脂からなる群より選ばれる少なくとも１種の材料から形成されたものを用いることができる。特に、好ましくは、防水シートは、ポリ塩化ビニル樹脂等の熱可塑性樹脂からなる。
【００１５】
（３）防水シート用固定金具
固定金具本体と、この固定金具本体上の接着フィルム層とからなる。接着フィルム層は、防水シートと接着可能であり、予め固定金具本体に接着しておくことができる。
【００１６】
防水シート用固定金具は、予め固定金具本体を成型し、その後、必要な部位に接着フィルム層を設けることによって製造することができる。また、固定金具本体には、成型するのに先立って、予め接着フィルム層を積層しておくこともできる。
【００１７】
（４）固定金具本体
防水すべき下地に固定され、防水シートが接着されるものである。防水シート用固定金具の芯材となる部分である。種々の材質からなることができる。導体からなり、防水シートを電磁誘導加熱等によって接着する部分を有することができる。
【００１８】
固定金具本体の外縁部は、所定の勾配をもって外周側に向かって低くなっている勾配部を有することができる。
【００１９】
固定金具本体の外縁部は、防水すべき下地と接する最外周部を有することができる。固定金具本体は、最外周部が取付孔部等とともに防水下地と接し、防水シートと接着する部分が防水下地と所定の距離を隔てる構造を形成する。この構造により、誘導加熱による固定金具と防水シートとを熱溶融接着する際の熱が、直接にか、又は全面にわたって防水下地に伝導することを防止することができる。
【００２０】
固定金具本体は、防水すべき下地に対し、アンカー等の固定手段によって固定することができる。固定金具本体の中心部には、アンカー等の固定手段によって固定金具本体を防水すべき下地に固定するための取付孔を設けることができる。取付孔は種々の穴の形状を有することができる。
【００２１】
取付孔の周りの外周部側には、取付孔を囲むように環状に、円形状の凹部を所定の間隔で設けることができる。凹部には、防水すべき下地と接地しない所定の位置に貫通穴を設けることができる。
【００２２】
円形状の凹部の周りの外周部側の固定金具本体、特にその主たる平坦部にも、貫通穴を所定の位置に設けることができる。
【００２３】
（５）接着フィルム層
接着フィルム層は固定金具側フィルム層とシート側フィルム層の２層構造を少なくとも有する。接着フィルム層は、溶剤等を使用した溶剤溶着、熱風機や電磁誘導加熱を使用した熱融着等によって、固定金具本体及び防水シートとの接着が可能である。特に、オレフィン系の接着フィルム層等を用いる場合には、溶剤接着ではなく、互いのフィルム層の接着には熱融着を用いるのが好ましい。
【００２４】
接着フィルム層は熱溶融接着フィルム層がよい。熱溶融接着フィルム層では、加熱により溶融化させ、固定金具本体及び防水シートと接着させることができる。熱溶融接着フィルム層は、溶剤等を用いる溶剤溶着等接着に比べて環境に対する負荷が少ない。熱溶融接着フィルム層を用いる場合、好ましくは、電磁誘導加熱を用いる。環境に対する負荷が少ないことに加え、接着作業効率を高めることができる。
【００２５】
好ましくは、固定金具側フィルム層及びシート側フィルム層の少なくとも一方の接着フィルム層は、固定金具本体の上面全面に、場合によっては、中心部の取付孔の周りから防水下地に接地する外縁部まで、連続して設けられる。防水シートと接する面のみに熱溶融接着フィルム層が設けられているのではなく、導体固定片上面全面に接着させているので、固定金具本体の上面全面に防水シートを接着させることにより、接着フィルム層や接着剤の劣化による固定金具本体上面の樹脂層の剥離を起こすことなく、長期にわたり、防水シート用固定金具と防水シートとの接合強度を保持することが可能となる。
【００２６】
（６）固定金具側フィルム層及びシート側フィルム層
好ましくは、固定金具側フィルム層及びシート側フィルム層は、加熱によって溶融化し、固定金具側フィルム層が固定金具本体と強固に接着可能であり、シート側フィルム層が固定金具側フィルム層と接着するとともに防水シートと強固に接着可能である。
【００２７】
特に、好ましくは、固定金具側フィルム層及びシート側フィルム層は熱可塑性樹脂からなる。熱可塑性樹脂の中には、種々のものがあり、金属との接着強度の強いもの、熱可塑性樹脂製防水シートと強固に接着するもの、樹脂同士の間で強い接着強度を示すもの等がある。これらの熱可塑性樹脂を互いに層状にして積層し、これを導体固定片の上面に接着されることにより、電磁誘導加熱装置を使用して、導体からなる固定金具本体と防水シートとを強固に溶融接着させることが可能となる。
【００２８】
固定金具側フィルム層は、熱可塑性樹脂、特に、オレフィン系樹脂、ホットメルト樹脂、更に特に、ポリイミド系樹脂、ポリアミド系樹脂等からなる群より選ばれる少なくとも１種の材料から形成されたものを用いることができる。特に、好ましくは、固定金具側フィルム層は、種々の金属との接着性能が良好で、接着強度の強いポリイミド系樹脂又はポリアミド系樹脂等のいずれかの単一の材料から形成されたもののフィルム層からなる。
【００２９】
シート側フィルム層は、熱可塑性樹脂、特に、オレフィン系樹脂、ホットメルト樹脂、更に特に、ポリエステル系樹脂からなる群より選ばれる少なくとも１種の材料から形成されたものを用いることができる。特に、好ましくは、シート側フィルム層は、熱可塑性樹脂製防水シートと熱溶融接着が可能であるポリエステル系樹脂等の熱可塑性樹脂のフィルム層からなる。
【００３０】
好ましくは、固定金具側フィルム層及びシート側フィルム層は互いに材質の異なる熱可塑性樹脂からなる。この場合、固定金具側フィルム層／シート側フィルム層の組合せは、熱可塑性樹脂／熱可塑性樹脂からなる群より選ぶことができる。特に、好ましくは、固定金具側フィルム層／シート側フィルム層の組合せは、ポリイミド系樹脂製フィルム層／ポリエステル系樹脂製フィルム層である。
【００３１】
固定金具側フィルム層及びシート側フィルム層には、固定金具本体、防水シート、各接着フィルム層の間の接着強度等を調整する目的で、上記熱可塑性樹脂のほか、種々の添加剤等を配合することができる。
【００３２】
（７）防水シートの施工方法
防水シートを防水すべき下地に施工するにあたっては、まず、上述のような防水シート用固定金具を準備する。次いで、この固定金具を用いて防水すべき下地を防水シートで防水する。
【００３３】
防水シート用固定金具の使用には、種々の方法が用いられる。特に、この固定金具を防水すべき下地の所定位置にアンカー等の固定手段により固定後、この固定金具に防水シートを接着させ、防水すべき下地を防水シートによって覆う。
【００３４】
電磁誘導加熱を用いる場合、この固定金具が固定された防水すべき下地を防水シートで覆い、防水シートの上から電磁誘導により固定金具の導体部分を加熱し、発生する熱によって固定金具本体上面の接着フィルム層を溶融させ、防水シートとの接着機能を発揮させる。
【００３５】
防水シート上面からの誘導加熱等によって、防水シートと接着フィルム層を溶融接着させることが可能になる。特に、接着フィルム層が固定金具側フィルム層とシート側フィルム層の２層構造であり、防水シートと強固に接着して、防水すべき下地上に安定した防水層が効率的に形成される。
【００３６】
防水シートは複数枚用いることができる。複数の防水シートは、防水シート用固定金具に同時に接着したり、別個に接着したりすることが可能である。各防水シートの継ぎ目は、防水性能が劣らないように、各防水シートの端部を重ねて接着することができる。
【００３７】
好ましくは、一方の防水シートを接着し、その後他方の防水シートを接着する。防水シートと防水シート用固定金具との接着強度が強いので、複数の防水シートが防水シート用固定金具の接着フィルム層を分け合って接着しても十分な防水性能の発揮が可能であり、施工性が著しく向上する。
【００３８】
このような作業を繰り返し行うことにより、所望の防水すべき下地において、広大な面積に強固な防水層を形成することが可能である。
【００３９】
図面を参照して、本発明をより一層詳細に説明する。
図１は本発明の１実施形態の防水シート用固定金具を示す斜視図である。図２は図１の防水シート用固定金具の断面図である。図３は図２の防水シート用固定金具の接着フィルム層部分を拡大して示す断面図である。図４は本発明の１実施形態の防水シート用固定金具と防水シートの溶融接着状態を示す断面図である。
【００４０】
図１〜４に示すように、１例の防水シート用固定金具１は、例えば、導体固定片のような固定金具本体２を備える。固定金具本体２には、加熱することにより溶融化する熱溶融接着フィルム層のような接着フィルム層３が設けられる。
【００４１】
防水シート用固定金具１は防水下地４に固定され、防水シート用固定金具１の上に防水シート５が接着され、防水下地４の全面が防水シート５によって防水される。
【００４２】
接着フィルム層３は固定金具本体２の全面を覆っている。接着フィルム層３は熱可塑性樹脂等からなる防水シート５と熱溶着する。接着フィルム層３は、固定金具本体２と強固に接着可能な熱可塑性樹脂フィルム層等の固定金具側フィルム層３Ａと、防水シート５と強固に接着する性能を有する熱可塑性樹脂フィルム層等のシート側フィルム層３Ｂの２層からなる。
【００４３】
防水シート用固定金具１の外縁部は、所定の勾配をもって、外周側に低くなっている勾配部１Ａと、防水下地４と接するその最外周部１Ｂとを有する。
【００４４】
防水シート用固定金具１の中心部には、固定金具１を防水下地４にアンカー６等によって固定するための穴形状を有した取付孔１Ｃが設けられている。取付孔１Ｃの周りの外周部には、円形状の凹部１Ｄを所定の間隔で環状に設けている。
【００４５】
凹部１Ｄには、防水下地４と接地しない所定の位置に貫通部を設けている。凹部１Ｄの周りの固定金具１の外周部の主たる平坦部にも、貫通穴１Ｅを所定の位置に設けている。
【００４６】
固定金具１の上面には、中心部の取付孔１Ｃの周りから防水下地４に接地する最外周部１Ｂまで連続した接着フィルム層３が設けられている。
【００４７】
上記の構造を有する防水シート用固定金具１は、防水下地４に所定の位置にアンカー６により固定後、防水シート５を覆い、防水シート５が接着される。接着には、電磁誘導加熱を用いることができる。電磁誘導加熱装置の発振部７によって防水シート５を押圧し、防水シート５の下の固定金具１を加熱する。この加熱された熱によって固定金具１の上面の接着フィルム層３を溶融させ、防水シート５と接着させる。
【００４８】
この作業を、防水シートの所定の部分、場合によっては複数枚の防水シートを用いて繰り返し行うことにより、広大な面積の防水下地４において強固な防水層を形成することが可能である。
【実施例１】
【００４９】
以下、本発明を、図面を参照して、実施例に基づいて説明する。
図１〜３に示すような防水シート用固定金具を製造し、図４に示すように用いて防水シートを施工する。
固定金具本体は導体から作製する。接着フィルム層は、固定金具側フィルム層をポリイミド樹脂から作製し、シート側フィルム層をポリエステル樹脂から作製する。予め接着フィルム層を積層した状態で固定金具の成型を行う。
【００５０】
防水シート用固定金具を、アンカー等の固定金具を取付孔から挿入して、防水下地に固定する。次に、ポリ塩化ビニル製樹脂からなる防水シートを防水シート用固定金具の上に敷設する。次に、防水シートの上から、防水シート用固定金具の上部に電磁誘導加熱装置の発振部を押圧する。この際、電磁誘導を行い、この作用によって、固定金具本体にうず電流損による発熱をさせ、固定金具本体上の接着フィルム層を溶融接着フィルム層として溶融させ、防水シートと溶融接着させる。
【００５１】
上記の方法で接着する防水シート用固定金具と防水シートとは、防水下地を効率よく防水することができ、長期間にわたり接着強度を保持する。
【産業上の利用可能性】
【００５２】
本発明の防水シート用固定金具は、防水シートの新しい溶融接着技術を提供するものであり、シート防水工事における防水層の耐久性及び防水シートの施工性を改善するのに有用である。
【図面の簡単な説明】
【００５３】
【図１】本発明の１実施形態の防水シート用固定金具を示す斜視図である。
【図２】図１の防水シート用固定金具の断面図である。
【図３】図２の防水シート用固定金具の接着フィルム層部分を拡大して示す断面図である。
【図４】本発明の１実施形態の防水シート用固定金具と防水シートの溶融接着状態を示す断面図である。
【符号の説明】
【００５４】
１  防水シート用固定金具
１Ａ  勾配部
１Ｂ  最外周部
１Ｃ  取付孔
１Ｄ  凹部
１Ｅ  貫通穴
２  固定金具本体
３  接着フィルム層
３Ａ  固定金具側フィルム層
３Ｂ  シート側フィルム層
４  防水下地
５  防水シート
６  アンカー
７  発振部
【図１】
2005042394.tif 000003
【図２】
2005042394.tif 000004
【図３】
2005042394.tif 000005
【図４】
2005042394.tif 000006